(57)【要約】【課題】蓄積されたシステムの運用履歴を検索する際に、検索対象の誤選択を抑制し、容易に検索対象を選択できる監視制御装置を提供する。【解決手段】監視制御装置は、背景画像上に、複数の機器に関する情報を表す画像であるシンボルを配置した監視用画像を表示して、複数の機器を監視及び制御し、監視用画像と同じ検索用画像を含む検索画面を表示する検索画面表示部１２４と、複数のシンボルの中から指定されたシンボルを選択する検索対象選択部１２６と、選択されたシンボルに対応するキーワードを特定するキーワード特定部１２８と、特定された検索キーワードを用いて検索を行なう検索処理部１３０と、検索結果を表示する検索結果表示部１３４とを含み、シンボルは、機器自体を表すシンボル、又は、当該機器の監視すべき状態を表すシンボルである。これにより、検索対象の誤選択を抑制できる。【選択図】図３
2020135016.tif 000002
【特許請求の範囲】
【請求項１】
複数の機器を含むシステムを、背景画像上に、前記複数の機器の各々に関する情報を表す画像であるシンボルを配置した監視用画像を表示して、監視及び制御する監視制御装置であって、
前記監視用画像とは別に、前記監視用画像と同じ検索用画像を含む検索画面を表示する検索画面表示手段と、
前記検索用画像上に配置された複数の前記シンボルの中からユーザにより指定されたシンボルを対象として選択する選択手段と、
前記選択手段により選択された前記シンボルに対応する検索キーワードを特定する特定手段と、
前記特定手段により特定された前記検索キーワードを用いて、前記複数の機器の過去の状態を表すメッセージを含む情報の集合に対して検索を行なう検索処理手段と、
前記検索処理手段による検索結果を表示する検索結果表示手段とを含み、
前記シンボルは、対応する前記機器自体を表すシンボル、又は、当該機器の監視すべき状態を表すシンボルであることを特徴とする監視制御装置。
【請求項２】
前記検索結果表示手段は、前記検索用画像上の選択された前記シンボルの近傍に、当該シンボルに関する前記検索処理手段による検索によりヒットした件数を表す画像であるバッジを表示することを特徴とする、請求項１に記載の監視制御装置。
【請求項３】
前記検索結果表示手段は、ユーザにより前記バッジが指定されたことを受けて、当該バッジに対応する検索結果をリスト表示することを特徴とする、請求項２に記載の監視制御装置。
【請求項４】
前記検索画面表示手段は、前記検索用画像上に配置された前記複数のシンボルの中からシンボルが指定されたことを受けて、指定される前の当該シンボルを変化させて表示することを特徴とする、請求項１から請求項３のいずれか１項に記載の監視制御装置。
【請求項５】
前記選択手段は、前記複数のシンボルのうち、選択された状態のシンボルが指定されたことを受けて、指定された当該シンボルの選択を解除することを特徴とする、請求項１から請求項４のいずれか１項に記載の監視制御装置。
【発明の詳細な説明】
【技術分野】
【０００１】
本発明は、複数の設備が配置されたプラント等において各設備の状態を、画像表示装置を使用して監視し制御する監視制御装置に関する。
【背景技術】
【０００２】
プラント（発電プラント、水処理プラント、化学プラント等）には、複数の電気設備（電気機器を含む）が配置されており、画像を表示可能なディスプレイ等を含む監視制御装置により、各電気設備の監視及び制御が行なわれる。例えば、下記特許文献１には、監視対象の要素を画面上で選択して、過去の履歴を検索する監視制御システムが開示されている。この監視制御システムは、監視対象の設備から発生すると推定される各種アラーム及び各種イベントを要素として木構造のデータベースを構築し、各設備から発生した各アラーム及び各種のイベントを、それらが発生した時刻情報と関連付けて時系列のリスト形式で履歴記憶部に記憶する。検索時には、この監視制御システムは、データベースの内容（要素の木構造）をグラフィカルに画面に表示し、当該画面上の各要素に対するオペレータの選択を受けて、選択された要素に対応するリストを、履歴記憶部から抽出する。木構造で分かり易く提示することにより、オペレータの検索作業が容易になる。
【先行技術文献】
【特許文献】
【０００３】
【特許文献１】特開２００３−２８０７３３号公報
【発明の概要】
【発明が解決しようとする課題】
【０００４】
しかし、特許文献１に開示された技術では、木構造で提示される要素は、文字列の表示であるため、オペレータが文字列を識別しなければならず、類似する文字列を誤選択する可能性がある。通常、同じ種類の装置は、異なる場所に配置されていても、同じ文字（装置名称等）で標記され、異なる装置であることは、装置名称等に「第１」、「第２」、「Ｎｏ．１」、「Ｎｏ．２」等の短い標記を付して区別されるので、意図した装置と異なる装置を選択してしまう可能性がある。特に、装置名称が比較的長い場合に、誤選択の可能性が高くなる。
【０００５】
したがって、本発明は、蓄積されたシステムの運用履歴を検索する際に、検索対象の誤選択を抑制し、容易に検索対象を選択できる監視制御装置を提供することを目的とする。
【課題を解決するための手段】
【０００６】
本発明に係る監視制御装置は、複数の機器を含むシステムを、背景画像上に、複数の機器の各々に関する情報を表す画像であるシンボルを配置した監視用画像を表示して、監視及び制御する監視制御装置であって、監視用画像とは別に、監視用画像と同じ検索用画像を含む検索画面を表示する検索画面表示部と、検索用画像上に配置された複数のシンボルの中からユーザにより指定されたシンボルを対象として選択する選択部と、選択部により選択されたシンボルに対応する検索キーワードを特定する特定部と、特定部により特定された検索キーワードを用いて、複数の機器の過去の状態を表すメッセージを含む情報の集合に対して検索を行なう検索処理部と、検索処理部による検索結果を表示する検索結果表示部とを含み、シンボルは、対応する機器自体を表すシンボル、又は、当該機器の監視すべき状態を表すシンボルである。
【０００７】
これにより、検索画面には、普段のシステム運用に使用している画面に表示されている監視用画像と同じ画像（検索用画像）が表示され、その画像（検索用画像）上で検索対象を選択するので、管理者等は機器を容易に識別でき、検索対象の誤選択を抑制できる。
【０００８】
好ましくは、検索結果表示部は、検索用画像上の選択されたシンボルの近傍に、当該シンボルに関する検索処理部による検索によりヒットした件数を表す画像であるバッジを表示する。これにより、検索対象の機器毎に、ヒット件数を容易に把握できる。
【０００９】
より好ましくは、検索結果表示部は、ユーザによりバッジが指定されたことを受けて、当該バッジに対応する検索結果をリスト表示する。これにより、検索対象の機器に関する履歴を容易に確認できる。
【００１０】
さらに好ましくは、検索画面表示部は、検索用画像上に配置された複数のシンボルの中からシンボルが指定されたことを受けて、指定される前の当該シンボルを変化させて表示する。これにより、検索対象として選択されている機器を容易に確認できる。
【００１１】
好ましくは、選択部は、複数のシンボルのうち、選択された状態のシンボルが指定されたことを受けて、指定された当該シンボルの選択を解除する。これにより、検索対象として一旦選択した機器を、容易に検索対象から除外できる。
【発明の効果】
【００１２】
本発明によれば、検索画面には、普段のシステム運用に使用している画面に表示されている監視用画像と同じ画像（検索用画像）が表示され、その画像（検索用画像）上で検索対象を選択するので、管理者等は機器を容易に識別でき、検索対象の誤選択を抑制できる。また、シンボルを選択すれば、自動的に検索キーワードが特定されるので、検索キーワードをキーボード等で入力する手間がなく、容易に検索を実行できる。
【図面の簡単な説明】
【００１３】
【図１】本発明の実施形態に係る監視制御装置が配置されたシステム（プラント）を示すブロック図である。
【図２】図１の監視制御装置の構成を示すブロック図である。
【図３】図１の監視制御装置の機能を示すブロック図である。
【図４】検索画面を示す図である。
【図５】システム運用の画面を示す図である。
【図６】記憶部に記憶される画像の構成を示すブロック図である。
【図７】検索画面において検索対象が選択された状態を示す図である。
【図８】シンボルと検索キーワードとの対応を表形式で示す図である。
【図９】検索画面において検索結果が表示された状態を示す図である。
【図１０】検索画面において検索結果の詳細が表示された状態を示す図である。
【図１１】図１の監視制御装置により実行される処理を示すフローチャートである。
【図１２】背景画像の一例を示す図である。
【図１３】検索用画像の一例を示す図である。
【図１４】シンボルが選択された状態を示す図である。
【図１５】検索結果が表示された状態を示す図である。
【図１６】システム運用前の監視用画像の一例を示す図である。
【発明を実施するための形態】
【００１４】
以下の実施形態では、同一の部品には同一の参照番号を付してある。それらの名称及び機能も同一である。したがって、それらについての詳細な説明は繰返さない。
【００１５】
図１を参照して、本発明の実施形態に係る監視制御装置１０２は、複数の電気機器（代表的に電気機器２００及び２０２を示す）を含むシステム１００を監視及び制御するための装置である。システム１００は、例えば、発電プラント、水処理プラント、化学プラント等のプラントであり、電気機器２００及び２０２は、そこに設置されている種々の設備を構成する装置であり、監視制御装置１０２による監視対象である。電気機器２００及び２０２は、プラント内の各所（以下、現場ともいう）に設置されており、監視制御装置１０２は、システムを集中して監視するための監視室等（以下、中央ともいう）に配置されている。
【００１６】
監視制御装置１０２は、電気機器２００及び２０２と通信する機能を有しており、各機器の作動状態（運転、停止、正常、異常、故障等）を表す状態情報（測定値を含む）を各機器から取得し、対応する文字情報（以下、メッセージともいう）と、状態情報を取得した時刻を表す時刻情報（年月日を含む）とをデータベースに記憶する。メッセージには、例えば、機器特定情報（設備名称及び機器名称等）と、状態特定情報（正常、異常の名称、故障の名称等）と、発生又は復帰を表す情報（発生、復帰）とを含む。
【００１７】
［監視制御装置のハードウェア構成］
図２を参照して、監視制御装置１０２のハードウェア構成の一例を示す。監視制御装置１０２は、画像を表示する表示部１０４、管理者等（以下、ユーザという）の指示を受付ける操作部１０６、外部装置と通信する通信部１０８、データを記憶する記憶部１１０、それらを制御する制御部１１２、及び各部の間でデータを交換するためのバス１１４を含む。監視制御装置１０２は、例えば、コンピュータである。
【００１８】
表示部１０４は、例えば、液晶ディスプレイ、又はＣＲＴディスプレイ等であり、操作部１０６は、例えば、コンピュータ用マウス、又は液晶ディスプレイの上に配置されたタッチパネル等である。ユーザは、操作部１０６を操作（マウスクボタンの押下、タッチ操作等）することにより、監視制御装置１０２に指示を入力できる。入力される指示は、バス１１４を介して制御部１１２に伝送される。
【００１９】
通信部１０８は、電気機器２００及び２０２と通信するための機能を有する。通信部１０８は、相手機器の通信仕様に応じて、例えば、パラレル通信（ＧＰＩＢ等）又はシリアル通信（ＥＩＡ−４２２（ＲＳ−４２２）、ＥＩＡ−４８５（ＲＳ−４８５）等）による通信機能を有する。通信部１０８は、有線又は無線のＬＡＮによる通信機能を有していてもよい。監視制御装置１０２の監視対象が変成器等の測定装置であり、測定値を直接出力するものであれば、通信部１０８は、電気配線を介して測定値（電圧、電流等）を受信する機能を有する。例えば、通信部１０８は、入力されるアナログ信号（電圧、電流等）を所定周期でサンプリングして、デジタルデータに変換するＡ／Ｄ変換器を含む。
【００２０】
記憶部１１０は、例えば書換可能な不揮発性の半導体メモリ、又はハードディスクドライブ（以下、ＨＤＤという）である。通信部１０８により受信されたデータは、記憶部１１０に記憶される。記憶部１１０は、表示部１０４に表示する画像データを記憶する。表示部１０４がビデオメモリを含んでいなければ、記憶部１１０の一部の領域はビデオメモリとして使用されてもよい。制御部１１２は、ＣＰＵ（Ｃｅｎｔｒａｌ  Ｐｒｏｃｅｓｓｉｎｇ  Ｕｎｉｔ）を含み、各部を制御する。
【００２１】
［監視制御装置の機能的構成］
図３を参照して、監視制御装置１０２の機能について説明する。監視制御装置１０２は、上記したように監視対象機器を監視する監視部１２０、監視対象の機器から受信したメッセージを記憶するデータベース部１２２、検索画面表示部１２４、検索対象選択部１２６、キーワード特定部１２８、検索処理部１３０、検索結果記憶部１３２、及び検索結果表示部１３４を含む。これら各部の機能は、図２の制御部１１２が、表示部１０４、操作部１０６、通信部１０８及び記憶部１１０を用いて実現する。
【００２２】
検索画面表示部１２４は、検索対象を選択するための検索画面を表示する。例えば、検索画面表示部１２４は、表示部１０４に図４に示す検索画面３００を表示する。検索画面３００は、検索用画像３０６、ＯＫキー３０８及びキャンセルキー３１０を含む。検索用画像３０６は、背景画像３０２と、監視対象の機器等を表す、背景画像３０２よりも小さい画像であるシンボル３０４とから構成される。後述するように、背景画像３０２には、機器を特定する文字情報（機器名称等）及び機器間の関係（位置関係、接続関係（例えば、機械的又は電気的接続関係））を表す図形（線分、矢印等）等が描画されており、背景画像３０２の上にシンボル３０４が配置されている。
【００２３】
ここで、検索用画像は、システム１００における各機器の状態を監視するために使用される運用画面を構成する監視用画像と同じ画像である。図５を参照して、運用画面３１２を構成する監視用画像３１４は、背景画像３０２とシンボル３０４とから構成されており、図４に示した検索用画像３０６と同じ画像である。図５に示した運用画面３１２には、監視用画像３１４の周囲に、機器を制御するためのキー等（図示せず）が表示される。監視画面の監視用画像において、各シンボルが故障の発生等により変化し得る場合には、例えば、システム全体が正常動作している状態の監視用画像を、検索用画像として使用すればよい。
【００２４】
背景画像３０２及びシンボル３０４は、記憶部１１０に記憶されている。図６を参照して、記憶部１１０は、背景画像領域１４０とシンボル画像領域１４２とを含む。背景画像領域１４０には、背景画像が記憶されている。シンボル画像領域１４２は、第１状態画像領域１４４と第２状態画像領域１４６とに区分されている。第１状態画像領域１４４及び第２状態画像領域１４６には、同じ機器に対応するシンボルに関して、該当機器の異なる状態を表すシンボルが記憶されている。例えば、遮断器に関しては、開放状態及び短絡状態の２つの状態があり、それらの２つの状態（第１状態及び第２状態）を異なる図形で表した画像を、同じ機器（遮断器）に対する２つのシンボルとして、それぞれ第１状態画像領域１４４及び第２状態画像領域１４６に記憶する。例えば、シンボルの画像データ１４８及び１５０は、同じ遮断器を表す異なる画像である。
【００２５】
なお、上記したように、シンボルは、機器自体を表すものに限らず、機器の監視すべき状態（故障又は異常等）を表すものも含まれる。例えば、シンボルの画像データ１４８及び１５０が、同じ機器に流れる電流を表すシンボルであれば、第１状態画像領域１４４には、正常な電流状態（例えば、電流値がしきい値以下）を表す画像を記憶し、第２状態画像領域１４６には、過電流を表す画像を記憶する。
【００２６】
背景画像及びシンボル画像のデータ形式は任意である。ビットマップデータ（ラスタデータ）であっても、ベクタデータであってもよい。
【００２７】
このように背景画像及びシンボル画像を記憶しておけば、例えば、表示部１０４に画像を表示するためのビデオメモリにレイヤ構造（層構造）を持たせ、１つのレイヤに背景画像３０２を表示（描画）し、別のレイヤにシンボル３０４を表示（描画）することにより実現される。例えば、監視対象の機器がいずれも正常状態であれば、監視用画像３１４は、背景画像領域１４０に記憶された背景画像に、第１状態画像領域１４４に記憶されたシンボルが配置された画像である。監視対象の機器のいずれかの状態が変化すれば、対応する監視用画像３１４上のシンボルは、第２状態画像領域１４６に記憶されたシンボルに代替される。なお、１つのレイヤに背景画像３０２を描画した後に、その同じレイヤにシンボル３０４を描画してもよい。
【００２８】
一方、検索画面３００は、運用画面３１２とは異なり、検索対象を指定し、検索結果を表示するための画面であり、各機器の状態に応じてシンボルを変化させる必要はない。したがって、検索用画像は、例えば、監視対象の機器がいずれも正常状態である場合の監視用画像、即ち、背景画像領域１４０に記憶された背景画像に、第１状態画像領域１４４に記憶されたシンボルが配置されて生成された監視用画像であればよい。なお、後述するように、監視用画面において、機器が正常に動作している状態では、対応する監視すべき状態を表すシンボルを、視認されにくいように薄く表示し、機器に異常が発生すると、視認容易になるように濃く表示することが行なわれる場合がある。即ち、例えば、図６の第１状態画像領域１４４に記憶された一部のシンボルが視認されにくい画像であり、そのシンボルに対応する第２状態画像領域１４６に記憶されたシンボルが視認容易な画像である場合がある。そのような場合、検索対象のシンボルが視認容易になるように、検索用画像としては、監視対象の機器がいずれも異常状態にあるときの監視すべき状態を表すシンボル（例えば、第２状態画像領域１４６に記憶されたシンボル）を表示した監視用画像を使用すればよい。このように、監視用画像はシステムの状態により、種々変化するが、どのような状態を表す画像であっても、検索用画像として使用できる。即ち、検索用画像は、背景画像上に、監視用画像を構成する各シンボル（機器自体を表すシンボル、及び機器の監視すべき状態を表すシンボル）を、監視用画像と同じ位置に配置して生成された画像であればよく、監視用画像と同じ画像とはそのような画像を意味する。
【００２９】
図３に戻り、検索対象選択部１２６は、操作部１０６による検索用画像上のシンボルに対する操作を検出し、操作されたシンボルを検索対象として選択する。例えば、各シンボルの位置に関する情報（シンボルの大きさ及びシンボルの代表点の位置座標）を記憶部１１０に記憶しておき、操作部１０６により操作された検索画面３００上の位置（例えば、マウスのクリック位置）を検出し、検出された位置が、各シンボル内に位置するか否かにより、シンボルに対する操作が成されたか否かを判定できる。
【００３０】
シンボルに対する操作が成された場合、記憶部１１０の所定領域にその情報を記憶する。例えば、記憶部１１０に各シンボルのフラグを記憶し、シンボルに対する操作が成される度に、フラグを反転させればよい。例えば、初期のフラグを“０”とすると、シンボルに対する操作が成されると、該当するフラグを“１”にする。フラグが“１”のシンボルに対して操作が成されると、該当するフラグを“０”にする。このようにすれば、フラグが“１”であるシンボルが選択されているシンボルである。
【００３１】
図４の検索画面３００において、シンボルが選択された状態を図７に示す。図７において、ドットパターンを付加したシンボルは、選択されていることを表す。シンボル３０４ａ及び３１６が選択されたシンボルである。図４に示した状態において、シンボル３０４が操作部１０６により操作（例えば、マウスクリック）されると、図７にシンボル３０４ａとして示すように変化する。表示状態の変化は、例えば、シンボルの色、輝度、大きさ等の変化、又は、シンボルへの所定の図形の付加（四角い枠の付加）等により示される。
【００３２】
シンボルの選択を確定し、検索キーワードを特定する処理を実行させる指示は、例えば、ＯＫキー３０８を操作することにより成される。キャンセルキー３１０は、選択を全て解除するために使用される。図７に示した状態で、キャンセルキー３１０が操作されると、図４に示した表示に戻る。
【００３３】
キーワード特定部１２８は、検索対象選択部１２６により検索対象として選択されたシンボル（機器）毎に対応する検索キーワードを特定する。図８を参照して、予め、各シンボルに関して検索キーワードが設定され、その情報が記憶部１１０に記憶されている。検索キーワードは、データベースに記憶されている履歴｛時刻，メッセージ｝に含まれる文字情報である。例えば、機器を表すシンボルに関しては、検索キーワードとして、その機器が属する設備を表す文字情報（設備名称等）と、その機器自体を表す文字情報（装置名称等）が設定されている。機器の監視すべき状態を表すシンボルに関しては、機器の状態を表す文字情報（例えば、異常又は故障の名称（例えば、過電流、過電圧等））が設定されている。
【００３４】
検索処理部１３０は、キーワード特定部１２８により特定された検索キーワードを用いて、データベース部１２２を検索する。検索は、選択された機器を表すシンボル毎に、該当する検索キーワードを用いて実行される。検索結果は、検索結果記憶部１３２により、選択された機器を表すシンボル毎に記憶される。
【００３５】
検索結果表示部１３４は、検索結果記憶部１３２から検索結果を取得し、表示部１０４に表示する。検索結果表示部１３４は、検索結果の一部の情報、例えば、検索された件数（以下、ヒット件数ともいう）等を、例えば、図９に示すように表示する。図９において、検索対象として選択されたシンボルの各々に関する検索結果として、ヒット件数が、各シンボルの右上に枠で囲んで表されている。バッジ３１８は、シンボル３０４ａに関する検索によるヒット件数を示し、バッジ３２０は、シンボル３１６に関する検索によるヒット件数を示している。
【００３６】
検索結果表示部１３４は、図９のように検索結果の一部の情報を表示した状態で、ユーザの操作を受けて、さらに詳しい検索結果を表示する。例えば、図９において、バッジ３２０が操作されると、図１０に示すように、バッジ３２０に対応する検索結果の詳細情報をリスト３２２として表示する。リスト３２２には、シンボル３１６に対応する機器における過去のメッセージ履歴が表示される。リスト３２２は、例えば、リスト３２２の右上の「×」が操作（マウスクリック）されると消去される。
【００３７】
［監視制御装置の動作］
図１１を参照して、監視制御装置１０２が行なう処理に関して、より具体的に説明する。図１１に示した処理は、制御部１１２が、所定のプログラムを記憶部１１０から読出して実行することにより実現される。
【００３８】
ステップ４００において、制御部１１２は、検索画面の初期画面を表示する。具体的には、制御部１１２は、記憶部１１０の背景画像領域１４０から背景画像を読出し、シンボル画像領域１４２の第１状態画像領域１４４から読出したシンボルを、背景画像の上に配置して検索用画像を生成し、検索用画像を含む検索画面を表示部１０４に表示する。例えば、図４に示した検索画面３００が表示される。検索画面３００は、表示部１０４の表示領域全体に表示されても、表示部１０４の表示領域の一部に表示されてもよい。監視制御装置１０２がマルチウィンドウ表示可能であれば、検索画面３００は複数表示されるウィンドウの１つとして表示され得る。例えば、図４に示した検索画面３００と、図５に示した運用画面３１２とが同時に表示部１０４に表示され得る。
【００３９】
ステップ４０２において、制御部１１２は、検索画面に対する操作の有無を判定する。例えば、制御部１１２は、操作部１０６により、図４の検索画面３００に対する操作があったか否かを判定する。操作があったと判定された場合、制御はステップ４０４に移行する。そうでなければステップ４０２が繰返される。
【００４０】
ステップ４０４において、制御部１１２は、ステップ４０２で検出された操作が、シンボルに対する操作であるか否かを判定する。シンボルに対する操作であると判定された場合、制御はステップ４０６に移行する。そうでなければ、制御はステップ４１４に移行する。
【００４１】
ステップ４０６において、制御部１１２は、ステップ４０４で操作を受けたと判定されたシンボルが未選択のシンボルであるか否かを判定する。上記したように、各シンボルに対応するフラグを記憶部１１０に記憶しておけば、フラグの値により、シンボルが選択されているか否かを判定できる。未選択と判定された場合、制御はステップ４０８に移行する。そうでなければ（選択されている）、制御はステップ４１０に移行する。
【００４２】
ステップ４０８において、制御部１１２は、ステップ４０４で操作されたと判定されたシンボルを選択された状態にする。具体的には、対応するフラグに“１”を設定する。これにより、例えば、図７に示すように、選択されたシンボルの表示が変化する。その後、制御はステップ４１２に移行する。
【００４３】
ステップ４１０において、制御部１１２は、ステップ４０４で操作されたと判定されたシンボルの選択を解除し、未選択の状態にする。具体的には、対応するフラグに“０”を設定する。これにより、検索画面３００において、選択状態を表す表示になっていたシンボルの表示が元の表示（未選択状態）に戻る。その後、制御はステップ４１２に移行する。
【００４４】
ステップ４１２において、制御部１１２は、終了の指示を受けたか否かを判定する。終了の指示を受けたと判定された場合、制御部１１２は検索画面を消去し、記憶部１１０上のフラグ及び検索結果を削除し、本プログラムは終了する。こそうでなければ、制御はステップ４０２に戻る。終了の指示は、例えば、操作画面（図４の検索画面３００）の右上の「×」が操作されることにより成される。
【００４５】
上記のステップ４０４での判定結果がＮＯ（シンボルに対する操作でない）であれば、ステップ４１４において、制御部１１２は、ステップ４０２で検出された操作が、ＯＫキー（図４のＯＫキー３０８）に対する操作であるか否かを判定する。ＯＫキーに対する操作であると判定された場合、制御はステップ４１６に移行する。そうでなければ、制御はステップ４２２に移行する。
【００４６】
ステップ４１６において、制御部１１２は、選択されている各シンボルに対応する検索キーワードを特定する。具体的には、制御部１１２は、記憶部１１０に各シンボルに対応して記憶されたフラグが選択状態を表す“１”であるシンボルを特定し、特定されたシンボルに対応する検索キーワードを、記憶部１１０に記憶された検索キーワードテーブルの中から特定する（図８参照）。その後、制御はステップ４１８に移行する。
【００４７】
ステップ４１８において、制御部１１２は、ステップ４１６で、各シンボルに対して特定された検索キーワードを用いて記憶部１１０に記憶されたデータベース部１２２に対して検索を行なう。１つのシンボルに関して、複数のキーワードが特定された場合、それらを全て用いて検索を行なう（ＡＮＤ検索）。制御部１１２は、検索された結果（｛時刻，メッセージ｝の組）を記憶部１１０に記憶する。その後、制御はステップ４２０に移行する。
【００４８】
ステップ４２０において、制御部１１２は、検索対象のシンボル毎に、ヒット件数を集計し、対応するシンボルの近傍にバッジ表示する。これにより、例えば、図１０に示すように、ヒット件数が表示される。その後、制御はステップ４０２に戻る。
【００４９】
上記のステップ４１４での判定結果ＮＯ（ＯＫキーに対する操作でない）であれば、ステップ４２２において、制御部１１２は、ステップ４０２で検出された操作が、キャンセルキー（図４のキャンセルキー３１０）に対する操作であるか否かを判定する。キャンセルキーに対する操作であると判定された場合、制御はステップ４２４に移行する。そうでなければ、制御はステップ４２６に移行する。
【００５０】
ステップ４２４において、制御部１１２は、シンボルの選択を全て解除し（全フラグを“０”にする）、記憶部１１０に検索結果が記憶されていれば削除する。これにより、検索画面３００は例えば図４に示したように初期状態に戻る。その後、制御はステップ４０２に戻る。
【００５１】
上記のステップ４２２での判定結果がＮＯ（キャンセルキーに対する操作でない）であれば、ステップ４２６において、制御部１１２は、ステップ４０２で検出された操作が、バッジに対する操作であるか否かを判定する。バッジに対する操作であると判定された場合、制御はステップ４２８に移行する。そうでなければ、制御はステップ４０２に戻る。
【００５２】
ステップ４２８において、制御部１１２は、ステップ４２６で操作されたバッジに対応する検索結果を、例えば図１０のようにリスト表示する。図１０は、バッジ３２０が操作されたことを受けて、リスト３２２が表示された状態を示す。その後、制御はステップ４３０に移行する。
【００５３】
ステップ４３０において、制御部１１２は、リストを表示部１０４から消去する指示を受けたか否かを判定する。リストを消去する指示は、例えば、リストの右上の「×」が操作部１０６により操作されることにより成される。指示を受けたをと判定された場合、制御はステップ４３２に移行する。そうでなければ、ステップ４３０が繰返される。
【００５４】
ステップ４３２において、制御部１１２は、表示部１０４に表示されているリストを消去する。その後、制御はステップ４０２に戻る。
【００５５】
以上により、ユーザは、検索画面上において、シンボルを操作してＯＫキーを操作するだけで、履歴（過去のメッセージ等）を記憶したデータベースから、そのシンボルに対応する機器の履歴を検索できる。このとき、検索画面に表示される検索用画像は、普段システムの監視及び制御のために利用している運用画面に表示される監視用画面と同じであるので、ユーザは、システム内の各機器を容易に識別でき、履歴を参照したい機器を誤認することなく選択できる。
【００５６】
［背景画像及びシンボルの例］
以下に、図１２〜図１６を参照して、背景画像及びシンボルの具体例を示す。図１２を参照して、背景画像３４０には、監視及び制御の対象である機器の名称（ＣＲ５２−２、ＣＢ５２等）と、機器間の接続関係を示す線と、電力供給方向を示す矢印と、監視及び制御の対象ではない機器等を表す図形（５つの長方形）と、システムに供給される電圧、電流及び電力を表す記号（Ｖ、Ａ、ｋＷ）とが含まれている（描画されている）。
【００５７】
図１３を参照して、検索用画像は、図１２に示した背景画像３４０の上に、各機器自体を表すシンボルと、各機器の監視すべき状態を表すシンボルとが配置されて形成された画像である。図１３に示した検索用画像は、監視用画像と同じ画像である。具体的には、後述するように、各機器自体のシンボルは正常動作している状態を表すシンボルであり、各機器の監視すべき状態を表すシンボルは異常が発生している状態を表すシンボルである。
【００５８】
シンボル３５０は、機器（遮断器）自体を表すシンボル（短絡状態の図形）であり、シンボル３５０が選択されて特定される検索キーワードには、その機器が属する設備名称及び機器名称（例えば、ＣＲ５２−２）が含まれる。
【００５９】
機器自体を表すシンボル３５０の近傍には、その機器の監視すべき状態を表すシンボル３５２、３５４及び３５６が配置されている。シンボル３５２は、シンボル３５０に対応する機器の操作主体を表すシンボルであり、「中」は、中央から操作することを表している。上記したように、中央とは、システム１００を集中して監視するための監視室等を意味し、中央からの操作とは、監視室等に設置された装置（監視制御装置１０２を含む）から、現場、即ちプラント内の各所に配置された電気機器２００及び２０２を遠隔操作することを意味する。これとは別の操作として現場での操作がある。現場での操作とは、人が電気機器２００又は２０２の設置場所において、直接電気機器２００又は２０２を操作することを意味する。シンボル３５２が選択されて特定される検索キーワードには、対応するシンボル３５０の設備名称及び機器名称（例えば、ＣＲ５２−２）と、例えば、通常の状態（中央からの操作）と異なる状態（監視すべき状態）である現場での操作を表す文字（例えば「現」）とが含まれる。
【００６０】
シンボル３５４及び３５６は、異常（監視すべき状態）を表すシンボルである。シンボル３５４は不足電圧の異常を表し、シンボル３５４が選択されて特定される検索キーワードには、対応するシンボル３５０の設備名称及び機器名称（例えば、ＣＲ５２−２）と、例えば「不足電圧」とが含まれる。シンボル３５６は過電流の異常を表し、シンボル３５６が選択されて特定される検索キーワードには、対応するシンボル３５０の設備名称及び機器名称（例えば、ＣＲ５２−２）と、例えば「過電流」とが含まれる。
【００６１】
「ＣＢ５２」、「ＣＬ５２−１」、「ＣＰ５２−１」等の各々の文字の近傍に配置されたシンボルも同様である。
【００６２】
シンボル３６０は、システムに供給される電圧の値（測定値）を表すシンボルである。シンボル３６２は、電圧の異常を表すシンボルである。シンボル３６２が選択されて特定される検索キーワードには、システム全体を表す情報と、例えば「過電圧」とが含まれる。システムに供給される電流及び電力に関しても、同様のシンボルが配置されている。
【００６３】
図１３の検索用画像において、シンボルが選択されると、検索用画像は図１４のように変化する。図１４において、シンボル３５６、３６４及び３６６が選択されている。選択されていることを表すために、シンボル３５６、３６４及び３６６の各々は四角の枠で囲まれている。
【００６４】
図１４の状態で、ＯＫキーが操作されて、検索が実行された後の画面を図１５に示す。図１５は、選択されたシンボル３５６、３６４及び３６６に関する検索結果のヒット件数がバッジ表示され、バッジ３７０が操作されたことを受けて、該当するリスト３７２が表示された状態を表している。シンボル３５６、３６４及び３６６に関するヒット件数はそれぞれ、「１２」、「２」及び「３」であり、リスト３７２には、２件の検索結果が、１件のヒットに関して１行で表示され、合計２行で表示されている。
【００６５】
図１６を参照して、システムの運用画面で使用される監視用画像の一例を示す。図１６の監視用画像は、図１２に示した背景画像３４０の上に、各機器自体を表すシンボルと、各機器の状態を表すシンボルとが配置されて形成された画像である。
【００６６】
図１６は、システムが運用される前、即ちシステムに電力が供給される前の状態を表す。遮断器を表すシンボル３５０ｂは、図１３のシンボル３５０と異なり、遮断器の開放状態を表す図形である。シンボル３５２ｂは、シンボル３５０ｂの遮断器が現場で操作される状態であることを表す文字「現」を含む画像である。シンボル３５４ｂ、３５６ｂ及び３６２ｂはそれぞれ、図１３のシンボル３５４、３５６及び３６２と同じ画像であるが、薄く（視認されにくく）表示されている。シンボル３６０は、電力供給されていないので０Ｖの表示になっている。図１６に表示されている各シンボルは、例えば、図６の第１状態画像領域１４４から読出された画像である。
【００６７】
図１６の状態から、システムに電力が供給されると、各機器の状態が変化する（動作を開始する）ので、対応するシンボルの図形が変化する。図１６において、例えば遮断器を表すシンボル３５０ｂは、図１３のシンボル３５０（遮断器の短絡状態を表す図形）に変更される。機器の監視すべき状態を示すシンボルは、監視状態にはなっているが、機器が正常に動作している状態（復帰状態）では、薄く表示されたままである。機器に異常が発生した状態（発生状態）では、その機器の監視すべき状態を示すシンボルは、視認容易になるように濃く（クリアに）表示される。検索用画像として、図１６と同じ画像、又は、図１６の画像において各機器自体のシンボルが正常動作状態のシンボルに変更された画像を使用することができる。その場合、機器の監視すべき状態を示すシンボルは視認されにくい表示になっているので、視認容易にするためには、システムの全ての機器に異常が発生したと想定した状態で、運用画面に表示される監視用画像（例えば、図１３と同じ画像）を、検索用画像として使用すればよい。
【００６８】
上記では、監視制御対象の機器が遮断器である場合を説明したが、これに限定されない。監視制御対象の機器は、電力設備で使用される機器（例えば、発電機、変圧器、及び計器用変成器等）であってもよい。それらの機器自体を表すシンボルとしては、ＪＩＳ等の規格で規定されているシンボルを使用すればよい。また、機器の監視すべき状態が、過電流及び不足電圧である場合を説明したが、これに限定されない。機器の監視すべき状態は、過電圧、不足電流、過電力、不足電力等の電気的状態であってもよい。
【００６９】
監視制御対象の機器は、電力供給に関する機器に限定されない。モータ、ポンプ、貯蔵タンク等であってもよい。それらの機器の監視すべき状態は、機械的状態（例えば、モータの回転数、ポンプの流速等）であっても、物理的状態（例えば、液面レベル、重量等）であってもよい。機械的状態及び物理的状態を検出するには、対応するセンサを使用すればよい。
【００７０】
以上、実施の形態を説明することにより本発明を説明したが、上記した実施の形態は例示であって、本発明は上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００７１】
１００    システム
１０２    監視制御装置
１０４    表示部
１０６    操作部
１０８    通信部
１１０    記憶部
１１２    制御部
１１４    バス
１２０    監視部
１２２    データベース部
１２４    検索画面表示部
１２６    検索対象選択部
１２８    キーワード特定部
１３０    検索処理部
１３２    検索結果記憶部
１３４    検索結果表示部
１４０    背景画像領域
１４２    シンボル画像領域
１４４    第１状態画像領域
１４６    第２状態画像領域
１４８、１５０    画像データ
２００、２０２    電気機器
３００    検索画面
３０２、３４０    背景画像
３０４、３０４ａ、３１６、３５０、３５０ｂ、３５２、３５２ｂ、３５４、３５４ｂ、３５６、３５６ｂ、３６０、３６２、３６２ｂ、３６４、３６６    シンボル
３０６    検索用画像
３０８    ＯＫキー
３１０    キャンセルキー
３１２    運用画面
３１４    監視用画像
３１８、３２０、３７０    バッジ
３２２、３７２    リスト
【図１】
2020135016.tif 000003
【図２】
2020135016.tif 000004
【図３】
2020135016.tif 000005
【図４】
2020135016.tif 000006
【図５】
2020135016.tif 000007
【図６】
2020135016.tif 000008
【図７】
2020135016.tif 000009
【図８】
2020135016.tif 000010
【図９】
2020135016.tif 000011
【図１０】
2020135016.tif 000012
【図１１】
2020135016.tif 000013
【図１２】
2020135016.tif 000014
【図１３】
2020135016.tif 000015
【図１４】
2020135016.tif 000016
【図１５】
2020135016.tif 000017
【図１６】
2020135016.tif 000018